【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
動力を伝達するためのドライブチェーンの延在方向に沿って複数のリンクが連結されたチェーン本体を継手リンクにより連結するドライブチェーンのリンク組付装置であって、
基部と、前記基部に取り付けられる保持部とを備え、
前記保持部は、第１保持部材及び第２保持部材を有し、前記ドライブチェーンの延在方向に直交する幅方向に沿って前記継手リンクが設置された前記チェーン本体を挟んで保持し、
前記第１保持部材及び前記第２保持部材の少なくとも一方は、前記第１保持部材及び前記第２保持部材の並び方向に沿って前記基部に対してスライド移動可能であると共に他方に向かって付勢されており、
前記第１保持部材は、前記継手リンクの一方の側面である第１側面に当接する第１当接部を備え、
前記第２保持部材は、前記継手リンクの他方の側面である第２側面に当接する第２当接部と、前記並び方向において前記第２当接部とは反対側の背部に設けられて前記第２側面を前記第１保持部材の方向へ加圧して前記継手リンクを結合させる被加圧部と、を備え、
前記第１保持部材及び前記第２保持部材の少なくとも一方は、前記並び方向における前記第１当接部と前記第２当接部との間隔を調節する調節部を備える、ドライブチェーンのリンク組付装置。
【請求項２】
前記継手リンクの前記第１側面及び前記第２側面には、前記幅方向において前記リンクを挟んで前記継手リンクの前記第１側面の側と前記第２側面の側とを連結するための一対の連結ピンの端部が突出した一対の凸部が形成されており、
前記第１当接部及び前記第２当接部は、一対の前記凸部に対応する位置に形成されて前記継手リンクの側面に当接する当接面から引退した一対の凹部を備えている請求項１に記載のドライブチェーンのリンク組付装置。
【請求項３】
一対の前記凸部の前記延在方向の間隔である凸部間隔、及び、前記凸部と前記継手リンクの外周部との距離である径方向距離は、前記ドライブチェーンの種類によって異なり、
一対の前記凹部は、前記凸部間隔及び前記径方向距離が異なる複数種類の前記ドライブチェーンについての一対の前記凸部の配置領域を含むように、前記並び方向に見て、前記継手リンクの外周部に当接する外周当接部から離れるに従って一対の前記凹部の前記延在方向の間隔が広くなるように配置された一対の長円状に形成されている請求項２に記載のドライブチェーンのリンク組付装置。
【請求項４】
前記第１当接部及び前記第２当接部は、マグネットを備える請求項１から３の何れか一項に記載のドライブチェーンのリンク組付装置。
【請求項５】
前記第１保持部材及び前記第２保持部材の少なくとも一方は、前記第１保持部材と前記第２保持部材との間で前記ドライブチェーンの前記リンクが当接するリンク受け部を備える請求項１から４の何れか一項に記載のドライブチェーンのリンク組付装置。
【請求項６】
さらに、前記基部と前記保持部とを備える本体部を固定する台座を備え、
前記台座は、前記ドライブチェーンの前記延在方向に沿って、前記第１保持部材及び前記第２保持部材による保持位置に応じた位置で前記ドライブチェーンを載置するチェーン載置部を備える請求項１から５の何れか一項に記載のドライブチェーンのリンク組付装置。
【請求項７】
前記チェーン載置部は、前記延在方向に沿った前記ドライブチェーンの移動を規制する規制部を備える請求項６に記載のドライブチェーンのリンク組付装置。
【請求項８】
前記第１保持部材及び前記第２保持部材の一方は、前記基部に対する位置が固定されている請求項１から７の何れか一項に記載のドライブチェーンのリンク組付装置。
【請求項９】
動力を伝達するためのドライブチェーンの延在方向に沿って複数のリンクが連結されたチェーン本体を継手リンクにより連結するドライブチェーンのリンク組付方法であって、
基部と、前記基部に取り付けられる保持部とを備え、前記保持部が、第１保持部材及び第２保持部材を有し、前記ドライブチェーンの延在方向に直交する幅方向に沿って前記継手リンクが設置された前記チェーン本体を挟んで保持するリンク組付装置を用い、
前記第１保持部材及び前記第２保持部材の並び方向における前記第１保持部材と前記第２保持部材との間隔を、前記ドライブチェーンの前記幅方向の長さに応じて調節する第１工程と、
前記チェーン本体に非結合状態の前記継手リンクを取り付ける第２工程と、
前記第１保持部材及び前記第２保持部材の並び方向に沿って前記基部に対してスライド移動可能であると共に他方に向かって付勢されている前記第１保持部材及び前記第２保持部材の一方を、付勢方向とは逆方向にスライドさせて、前記継手リンクが取り付けられた前記チェーン本体を前記第１保持部材及び前記第２保持部材の間に配置し、前記付勢方向にスライドさせて、前記第１保持部材に前記継手リンクの一方の側面である第１側面を当接させ、前記第２保持部材に前記継手リンクの他方の側面である第２側面を当接させて、前記継手リンク及び前記チェーン本体を前記リンク組付装置に取り付ける第３工程と、
前記第２保持部材の、前記第１保持部材と対向する側とは反対側に位置する背部に設けられた被加圧部により前記第２側面を前記第１保持部材の方向へ加圧して前記継手リンクを結合させる第４工程と、
前記リンク組付装置から前記ドライブチェーンを取り外す第５工程と、を備えるドライブチェーンのリンク組付方法。
【手続補正２】
【補正対象書類名】明細書
【補正対象項目名】０００６
【補正方法】変更
【補正の内容】
【０００６】
上記に鑑みた、動力を伝達するためのドライブチェーンの延在方向に沿って複数のリンクが連結されたチェーン本体を継手リンクにより連結するドライブチェーンのリンク組付装置は、
基部と、前記基部に取り付けられる保持部とを備え、
前記保持部は、第１保持部材及び第２保持部材を有し、前記ドライブチェーンの延在方向に直交する幅方向に沿って前記継手リンクが設置された前記チェーン本体を挟んで保持し、
前記第１保持部材及び前記第２保持部材の少なくとも一方は、前記第１保持部材及び前記第２保持部材の並び方向に沿って前記基部に対してスライド移動可能であると共に他方に向かって付勢されており、
前記第１保持部材は、前記継手リンクの一方の側面である第１側面に当接する第１当接部を備え、
前記第２保持部材は、前記継手リンクの他方の側面である第２側面に当接する第２当接部と、前記並び方向において前記第２当接部とは反対側の背部に設けられて前記第２側面を前記第１保持部材の方向へ加圧して前記継手リンクを結合させる被加圧部と、を備え、
前記第１保持部材及び前記第２保持部材の少なくとも一方は、前記並び方向における前記第１当接部と前記第２当接部との間隔を調節する調節部を備える。
【手続補正３】
【補正対象書類名】明細書
【補正対象項目名】０００７
【補正方法】変更
【補正の内容】
【０００７】
また、動力を伝達するためのドライブチェーンの延在方向に沿って複数のリンクが連結されたチェーン本体を継手リンクにより連結するドライブチェーンのリンク組付方法は、
基部と、前記基部に取り付けられる保持部とを備え、前記保持部が、第１保持部材及び第２保持部材を有し、前記ドライブチェーンの延在方向に直交する幅方向に沿って前記継手リンクが設置された前記チェーン本体を挟んで保持するリンク組付装置を用い、
前記第１保持部材及び前記第２保持部材の並び方向における前記第１保持部材と前記第２保持部材との間隔を、前記ドライブチェーンの前記幅方向の長さに応じて調節する第１工程と、
前記チェーン本体に非結合状態の前記継手リンクを取り付ける第２工程と、
前記第１保持部材及び前記第２保持部材の並び方向に沿って前記基部に対してスライド移動可能であると共に他方に向かって付勢されている前記第１保持部材及び前記第２保持部材の一方を、付勢方向とは逆方向にスライドさせて、前記継手リンクが取り付けられた前記チェーン本体を前記第１保持部材及び前記第２保持部材の間に配置し、前記付勢方向にスライドさせて、前記第１保持部材に前記継手リンクの一方の側面である第１側面を当接させ、前記第２保持部材に前記継手リンクの他方の側面である第２側面を当接させて、前記継手リンク及び前記チェーン本体を前記リンク組付装置に取り付ける第３工程と、
前記第２保持部材の、前記第１保持部材と対向する側とは反対側に位置する背部に設けられた被加圧部により前記第２側面を前記第１保持部材の方向へ加圧して前記継手リンクを結合させる第４工程と、
前記リンク組付装置から前記ドライブチェーンを取り外す第５工程と、を備える。
【手続補正４】
【補正対象書類名】明細書
【補正対象項目名】００５１
【補正方法】変更
【補正の内容】
【００５１】
１つの態様として、動力を伝達するためのドライブチェーンの延在方向に沿って複数のリンクが連結されたチェーン本体を継手リンクにより連結するドライブチェーンのリンク組付装置は、
基部と、前記基部に取り付けられる保持部とを備え、
前記保持部は、第１保持部材及び第２保持部材を有し、前記ドライブチェーンの延在方向に直交する幅方向に沿って前記継手リンクが設置された前記チェーン本体を挟んで保持し、
前記第１保持部材及び前記第２保持部材の少なくとも一方は、前記第１保持部材及び前記第２保持部材の並び方向に沿って前記基部に対してスライド移動可能であると共に他方に向かって付勢されており、
前記第１保持部材は、前記継手リンクの一方の側面である第１側面に当接する第１当接部を備え、
前記第２保持部材は、前記継手リンクの他方の側面である第２側面に当接する第２当接部と、前記並び方向において前記第２当接部とは反対側の背部に設けられて前記第２側面を前記第１保持部材の方向へ加圧して前記継手リンクを結合させる被加圧部と、を備え、
前記第１保持部材及び前記第２保持部材の少なくとも一方は、前記並び方向における前記第１当接部と前記第２当接部との間隔を調節する調節部を備える。
【手続補正５】
【補正対象書類名】明細書
【補正対象項目名】００５２
【補正方法】変更
【補正の内容】
【００５２】
また、１つの態様として、動力を伝達するためのドライブチェーンの延在方向に沿って複数のリンクが連結されたチェーン本体を継手リンクにより連結するドライブチェーンのリンク組付方法は、
基部と、前記基部に取り付けられる保持部とを備え、前記保持部が、第１保持部材及び第２保持部材を有し、前記ドライブチェーンの延在方向に直交する幅方向に沿って前記継手リンクが設置された前記チェーン本体を挟んで保持するリンク組付装置を用い、
前記第１保持部材及び前記第２保持部材の並び方向における前記第１保持部材と前記第２保持部材との間隔を、前記ドライブチェーンの前記幅方向の長さに応じて調節する第１工程と、
前記チェーン本体に非結合状態の前記継手リンクを取り付ける第２工程と、
前記第１保持部材及び前記第２保持部材の並び方向に沿って前記基部に対してスライド移動可能であると共に他方に向かって付勢されている前記第１保持部材及び前記第２保持部材の一方を、付勢方向とは逆方向にスライドさせて、前記継手リンクが取り付けられた前記チェーン本体を前記第１保持部材及び前記第２保持部材の間に配置し、前記付勢方向にスライドさせて、前記第１保持部材に前記継手リンクの一方の側面である第１側面を当接させ、前記第２保持部材に前記継手リンクの他方の側面である第２側面を当接させて、前記継手リンク及び前記チェーン本体を前記リンク組付装置に取り付ける第３工程と、
前記第２保持部材の、前記第１保持部材と対向する側とは反対側に位置する背部に設けられた被加圧部により前記第２側面を前記第１保持部材の方向へ加圧して前記継手リンクを結合させる第４工程と、
前記リンク組付装置から前記ドライブチェーンを取り外す第５工程と、を備える。